(57)【特許請求の範囲】
【請求項１】
アンカー軸を設けた基礎と、前記アンカー軸によって前記基礎に固定される支持台と、前記支持台に下部がネジ固定される石碑本体と、石材で構成された筒状カバーとを具える耐震性石碑であって、
前記支持台は、基礎に固定されたアンカー軸の垂直軸部を挿通させる挿通孔が上下方向で貫設されており、
又、前記石碑本体の前記下部には、該石碑本体をその厚さ方向に貫通する貫通孔又は該石碑本体の厚さ方向に凹む凹部からなる固定空所が設けられると共に、該固定空所の下端底部に、前記垂直軸部を挿入させる縦孔が貫設されており、該固定空所において、前記縦孔に挿入された前記垂直軸部に、前記下端底部で支持されるネジ固定具を螺合し締め付けることにより、前記下部を前記支持台にネジ固定可能となされており、
前記筒状カバーは、前記下部が前記支持台にネジ固定されて立設状態にある前記石碑本体を挿通状態とするためのカバー挿通孔が上下方向で貫設状態とされており、該筒状カバーが、該カバー挿通孔に前記石碑本体が挿通状態とされて前記支持台の上面部に載置されることにより、前記固定空所が該筒状カバーの壁部で覆い隠されることを特徴とする耐震性石碑。
【請求項２】
アンカー軸を設けた基礎と、前記アンカー軸によって前記基礎に固定される支持台と、 前記支持台に下部がネジ固定される石碑本体と、石材で構成された筒状カバーとを具える耐震性石碑であって、
前記支持台は、基礎に固定されたアンカー軸の垂直軸部を挿通させる挿通孔が上下方向で貫設されており、
又、前記石碑本体の前記下部には、該石碑本体をその厚さ方向に貫通する貫通孔又は該石碑本体の厚さ方向に凹む凹部からなる固定空所が設けられると共に、該固定空所の下端底部に、前記垂直軸部を挿入させる縦孔が貫設されており、該垂直軸部が、前記縦孔に挿入されると共にその上端部分が前記固定空所に位置されており、ネジ軸部として形成されている該上端部分に、ネジ固定具としての固定ナットを螺合し締め付けることにより、前記下部を前記支持台にネジ固定可能となされており、
前記筒状カバーは、前記下部が前記支持台にネジ固定されて立設状態にある前記石碑本体を挿通状態とするためのカバー挿通孔が上下方向で貫設状態とされており、該筒状カバーが、該カバー挿通孔に前記石碑本体が挿通状態とされて前記支持台の上面部に載置されることにより、前記固定空所が該筒状カバーの壁部で覆い隠されることを特徴とする耐震性石碑。
【請求項３】
アンカー軸を設けた基礎と、前記アンカー軸によって前記基礎に固定される支持台と、前記支持台に下部がネジ固定される石碑本体と、石材で構成された筒状カバーとを具える耐震性石碑であって、
前記支持台は、基礎に固定されたアンカー軸の垂直軸部を挿通させる挿通孔が上下方向で貫設されており、
又、前記石碑本体の前記下部には、該石碑本体をその厚さ方向に貫通する貫通孔又は該石碑本体の厚さ方向に凹む凹部からなる固定空所が設けられると共に、該固定空所の下端底部に、前記垂直軸部を挿入させる縦孔が貫設されており、該垂直軸部の上側部分には、上端開放で該垂直軸部の軸線に沿ってネジ孔部が設けられると共に、該垂直軸部の上端は該縦孔の上端から突出しないようになされており、該ネジ孔部に、ネジ固定具としての頭部付きの固定ボルトのネジ軸を螺合し締め付けることにより、前記下部を前記支持台にネジ固定可能となされており、
前記筒状カバーは、前記下部が前記支持台にネジ固定されて立設状態にある前記石碑本体を挿通状態とするためのカバー挿通孔が上下方向で貫設されており、該筒状カバーが、該カバー挿通孔に前記石碑本体が挿通状態とされて前記支持台の上面部に載置されることにより、前記固定空所が該筒状カバーの壁部で覆い隠されることを特徴とする耐震性石碑。
【請求項４】
前記固定空所の下端底部に、平面視で正方形状又は長方形状を呈する嵌合凹部を設けると共に、該嵌合凹部に、前記垂直軸部を挿通させる透孔が設けられた固定支持板を略密接状態に嵌め入れ、該透孔に挿通されて該固定支持板の上面で突出した前記ネジ軸部に前記固定ナットを螺合し締め付けることにより、前記下部を前記支持台にネジ固定可能となされていることを特徴とする請求項２記載の耐震性石碑。
【請求項５】
前記固定空所の下端底部に凹設された、平面視で正方形状又は長方形状を呈する嵌合凹部を設けると共に、該嵌合凹部に、前記ネジ軸を挿通させる透孔が設けられた固定支持板を略密接状態に嵌め入れ、前記頭部付きの固定ボルトの前記ネジ軸を該透孔に挿通させて前記ネジ孔部に螺合し締め付けることにより、前記下部を前記支持台にネジ固定可能となされていることを特徴とする請求項３記載の耐震性石碑。
【請求項６】
前記石碑本体が墓誌本体である場合において、その前後の垂直な止着面には故人の戒名や享年、没年月日等の故人の情報を表示するための表示板を止着できるようになされており、
該墓誌本体には、前後の止着面で開口する止着孔が貫設されており、該止着孔は、中央の小径孔部の両側に段差面を介して大径孔部が同心に連設されてなり、
該止着孔に止着ボルトが挿通状態とされると共に、該止着ボルトの両側部分に螺合されたナットが前記段差面で支持された状態で締め付けられることによって該止着ボルトが前記墓誌本体に固定される如くなされており、
前記前後の止着面に、ボルト孔が上下に設けられた表示板を当接せしめ、該ボルト孔を挿通した前記止着ボルトの突出部分に止着ナットを螺合し締め付けることにより、該表示板を前記止着面に固定できることを特徴とする請求項１〜５の何れかに記載の耐震性石碑。
【請求項７】
前記石碑本体が墓誌本体である場合において、その前後の止着面には故人の戒名や享年、没年月日等の故人の情報を表示するための表示板を止着できるようになされており、
該墓誌本体には、前後の止着面で開口する止着孔が貫設されており、該止着孔は、中央の小径孔部の両側に段差面を介して大径孔部が同心に連設されてなり、
該止着孔に止着ボルトが挿通状態とされると共に、該止着ボルトの両側部分に螺合されたナットが前記段差面で支持された状態で締め付けられることによって該止着ボルトが前記墓誌本体に固定される如くなされており、
前記前後の止着面に、ボルト孔が上下に設けられた表示板を当接せしめ、頭部付きの止着ボルトのネジ軸を該ボルト孔に挿通させると共に、該ネジ軸を、前記止着ボルトの端部分に該止着ボルトの軸線に沿って設けられたネジ孔部に螺合し締め付けることによって、前記表示板を前記止着面に固定できることを特徴とする請求項１〜５の何れかに記載の耐震性石碑。
【請求項８】
前記止着ボルトは、両切りの中央ボルトの両端側部分の夫々を、長ナットの内側のネジ孔部に螺合すると共に、該長ナットの外側のネジ孔部に、両切りの繋ぎボルトの内側部分を螺合してなり、前記表示板の前記ボルト孔を挿通した該繋ぎボルトの突出部分に止着ナットを螺合し締め付けることにより、該表示板が前記止着面に固定できることを特徴とする請求項６記載の耐震性石碑。
【請求項９】
前記止着ボルトは、両切りの中央ボルトの両端部分の夫々を、長ナットの内側のネジ孔部に螺合してなり、前記表示板の前記ボルト孔を挿通した前記ネジ軸を該長ナットの外側のネジ孔部に螺合し締め付けることにより、該表示板を前記止着面に止着できることを特徴とする請求項７記載の耐震性石碑。
【発明の詳細な説明】
【技術分野】
【０００１】
本発明は耐震性石碑に関するものであり、より詳しくは、故人の戒名や没年月日、俗名等が表示される墓誌本体や、慰霊碑本体、記念碑本体等としての石碑本体と、該石碑本体の下部がネジ固定される支持台と、該石碑本体の該下部のネジ固定部分を覆い隠す筒状カバーとを具えることによって、耐震性向上を期し得ると共に石碑の見栄え向上を図り得る耐震性石碑に関するものである。
【背景技術】
【０００２】
耐震性を向上させた従来の墓誌の一例として、墓誌本体の下端部分を支持台にボルト固定する耐震性墓誌が特開２００１−６５２０３号公報（特許文献１）で提案されている。同公報が開示する代表的なものは図３２〜３３に示す構成を有しており、前記墓誌本体ａは、御影石等の石材からなり矩形板状に形成され、その表面には、故人の戒名や没年月日、俗名等の文字が彫り込まれるものであった。又、該墓誌本体ａの下端部分ｂをボルト固定するための支持台ｃは、横幅と奥行きが夫々前記墓誌本体ａの横幅と厚さよりも稍大きく形成された直方体状の石材からなり、その表面中央から底面に向けて貫通した取付け孔ｄが形成され、該取付け孔ｄには前記墓誌本体ａの下端部分ｂが嵌入される如く構成されていた。そして、該取付け孔ｄを構成する前後対向した前壁部ｅと後壁部ｆの両側に位置させて、該前壁部ｅと後壁部ｆとを軸線を共通にして貫通するボルト孔ｇ，ｈ、ｇ，ｈが形成されており、該ボルト孔ｇ，ｈ、ｇ，ｈは、ボルトｊの頭部ｋやナットｍを収容できるように段部状に形成されていた。又、該ボルト孔ｇ，ｈ、ｇ，ｈに夫々横向きに挿通されるボルトｊ，ｊは、前記墓誌本体ａの下端部分ｂの両側に貫設されたボルト孔ｐ，ｐに挿通される如くなされていた。
【０００３】
かかる構成を有する墓誌本体ａの下端部分ｂを支持台ｃに固定するに際しては、図３３に示すように、両側のボルト孔ｇ，ｐ，ｈ、ｇ，ｐ，ｈにボルトｊ，ｊを挿通し、該ボルトｊ，ｊの先端部にナットｍ，ｍを螺合し締め付けるのであり、これにより墓誌本体ａの下端部分ｂを支持台ｃに固定するのであった。
【０００４】
なお前記特許文献１の図３においては、図３３に示すように、墓誌本体ａの下端部分ｂを取付け孔ｄに嵌入した状態において、該下端部分ｂの外表面ｒが前記取付け孔ｄの内面ｓに密接した状態が記載されているが、実際は、墓誌本体ａや支持台ｃの加工誤差を考慮して、前記取付け孔ｄの溝幅に余裕（例えば３〜５ｍｍ程度）が設けられるものである。このような余裕が設けられていないとすれば、墓誌本体ａや支持台ｃの加工誤差によって、墓誌本体ａの下端部分ｂを取付け孔ｄに嵌入できない場合が生じてしまうからである。そのため、前記墓誌本体ａの下端部分ｂを前記支持台ｃの取付け孔ｄに嵌入させると共に、前記ボルト孔ｇ，ｐ，ｈ、ｇ，ｐ，ｈにボルトｊ，ｊを挿通してナットｍ，ｍで締め付けた固定状態は、前記特許文献１の図３に示すようなものではなく、実際は図３４に示すようなものとなる。
【０００５】
そのため、墓誌本体ａの下端部分ｂは、前記前壁部ｅと後壁部ｆとに固定されたネジ軸ｕの軸線方向で、前記余裕の範囲で前後動できる。墓誌本体ａの下端部分ｂが支持台ｃに固定された状態にはないために、前記余裕の範囲で前後動できるのである。従って地震発生時においては、墓誌本体ａの下端部分ｂが前記ネジ軸ｕの軸線方向で激しく振動することになり、その振動がボルトやナットに伝達されて該ナットｍが緩む原因となるのであった。そして、この振動によってナットｍが外れてボルトｊが脱落すると、前記下端部分ｂが取付け孔ｄから離脱して墓誌本体ａが倒れる事態が発生しやすい問題があった。
【０００６】
又、かかる構成の耐震性墓誌にあっては、墓誌本体ａの下端部分ｂを支持台ｃにボルト固定した部分（前記ボルトｊ、ナットｍ及びこれらを収容する凹部ｖ，ｖ等）が露出状態にあるために、これらが耐震性墓誌の外観を損なう問題もあった。
【０００７】
前記特許文献１が開示する耐震性墓誌の耐震性不良の問題点を改善するために、本発明者は特開２００７−１２６８２５号公報（特許文献２）で、図３５に示すような耐震性墓誌ｗを提供した。該耐震性墓誌ｗは、墓誌本体ｘの下端嵌入部ｙを支持台ｚに設けた嵌入凹部ａ１に嵌入する如く構成され、該嵌入凹部ａ１の前後対向する壁部の内の後の壁部ｂ１の後面部に拡大孔ｃ１を設けると共に、その底部においてボルト挿通孔ｄ１を設け、ボルトｅ１のボルト頭ｆ１を該拡大孔ｃ１に嵌め入れた状態でネジ軸部ｇ１をボルト挿通孔ｄ１に挿通せしめる如く構成されていた。そして、前記下端嵌入部ｙには、該ボルト挿通孔ｄ１を挿通したボルトｅ１のネジ軸部ｇ１が螺合する雌ネジ部ｈ１を設け、該下端嵌入部ｙを前記嵌入凹部ａ１に嵌入した状態で、前記ボルト挿通孔ｄ１を横向きに挿通したボルトｅ１のネジ軸部ｇ１を前記雌ネジ部ｈ１に螺合し該ボルトｅ１を締め付けることにより、前記下端嵌入部ｙが前記嵌入凹部ａ１の前記後の壁部ｂ１に当接した状態で該下端嵌入部ｙが前記支持台ｚにボルト固定される如く構成されていた。
【０００８】
かかる構成を有する耐震性墓誌は、前記墓誌本体ｘの下端嵌入部ｙを後の壁部ｂ１に当接した状態で該下端嵌入部ｙを前記支持台ｚにボルト固定するため、前記特許文献１が開示する耐震性石碑におけるような、地震時等の振動によって墓誌本体ｘにガタツキが生じて耐震性不良を招くといった問題を解消できる利点はあった。しかしながら、特許文献１における耐震性墓誌におけると同様に、支持台ｚに対する墓誌本体ｘの下端嵌入部ｙのボルト固定部分（前記拡大孔ｃ１及びボルト頭部ｆ１を含むボルト固定部分）が目視されやすく、これが耐震性墓誌の外観を損なう問題は残されていた。
【０００９】
特許文献１が開示する耐震性墓誌における墓誌本体にガタツキが生じやすい問題を解決できる他の手段を具えた耐震性墓誌としては、実用新案登録第３１３４５４８号（特許文献３）が開示するものが提案されている。該耐震性墓誌は、図３６に示すように、墓誌本体ｊ１を支持台ｋ１にボルト固定するに際し、該墓誌本体ｊ１の下面ｖ１に凹設した上の凹部ｍ１において、上部固定片ｎ１と垂下片ｐ１とからなるＬ字状を呈する上の連結部材ｑ１の該上部固定片ｎ１を、軸線が上下方向である固定ボルトｒ１を用いて該上の凹部ｍ１の頂面部ｓ１にナットｔ１を締め付けて固定する構成を採用していた。又、前記支持台ｋ１の上面ｕ１に凹設した、前記上の凹部ｍ１と対向して設けられた下の凹部ｗ１の底面部ｘ１に、下部固定片ｚ１と垂直片ａ２とからなるＬ字状を呈する下の連結部材ｂ２の該下部固定片ｚ１を、軸線が上下方向である固定ボルトｃ２とナットｄ２とを用いて固定する構成を採用していた。そして、上下の連結部材ｑ１，ｂ２の前記垂下片ｐ1 と前記垂直片ａ２とを重ね合わせた状態で、両者を開口部ｅ２において連結ボルトｆ２で連結することにより、上下の連結部材ｑ１，ｂ２を介して、墓誌本体ｊ１と支持台ｋ１とをボルト固定するものであった。
【００１０】
しかしながら、かかる構成を有する耐震性墓誌にあっては、墓誌本体ｊ１を支持台ｋ１に固定するために上下独立した固定ボルトｒ１，ｃ２と、上下独立したＬ字状の連結部材ｑ１，ｂ２と、該上下の連結部材ｑ１，ｂ２相互を連結する連結ボルトｆ２とを用いて固定構造を構成するため、固定構造の複雑化を招いて施工に手間を要する問題があった他、墓誌本体ｊ１と支持台ｋ１とが、上下独立した固定ボルトｒ１，ｃ２と、上下独立したＬ字状の連結部材ｑ１，ｂ２を介して固定される構成であるため、ボルトの緩みを発生させる部分が多く、墓誌本体ｊ１と支持台ｋ１とのボルト固定が不安定化する恐れがあり、強度的安定性の面で改善の余地があった。更に、前記連結ボルトｆ２が、前記支持台ｋ１に設けた開口部ｅ２に納められた状態にあることから、これらが目視されやすく、耐震性墓誌の外観を損なう問題もあった。
【００１１】
特許文献１、特許文献２、特許文献３が開示する耐震性墓誌にあっては、何れも、墓誌本体を支持台に固定する固定部分が可視部に現れるために墓誌の外観を損なう問題があったのであるが、かかる外観上の問題点を解決し得る耐震性墓誌の一例として、実用新案登録第３１４４３４４号公報（特許文献４）が開示する耐震性墓誌が提案されている。
【００１２】
該耐震性墓誌は、図３７に示すように、支持台ｇ２上に墓誌本体ｈ２を載置すると共に、該支持台ｇ２と該墓誌本体ｈ２とを第１のアンカー軸ｊ２によって連結すると共に、該支持台ｇ２を基礎ｋ２に第２のアンカー軸ｍ２で連結してなり、該支持台ｇ２と該墓誌本体ｈ２とを接着剤で固着してなる構成を有していた。該第１のアンカー軸ｊ２は、図３７に示すように、下側部分ｎ２が前記支持台ｇ２に埋設された状態で上側部分ｐ２が該支持台ｇ２で立設されると共に、該上側部分ｐ２が、前記墓誌本体ｈ２に設けられた下端開放の挿入孔ｑ２に挿入されていた。そして前記第２のアンカー軸ｍ２は、図３７に示すように、下端側部分ｑ３が基礎ｋ２に埋設されることにより、その上側部分ｒ３が該基礎ｋ２で立設されており、該上側部分ｒ３が前記支持台ｇ２に設けられた上下方向の貫通孔ｓ３に挿通されると共に上端側部分ｔ３が前記墓誌本体ｈ２に設けられた下端開放の挿入孔ｕ３に挿入されていた。
【００１３】
又前記墓誌本体ｈ２の表面ｔ２には、図３８に示すように、故人の戒名や没年月日、俗名等を刻設してなる表示板ｕ２の複数枚がネジ固定される構成を有し、該ネジ固定は図３８に示すように、墓誌本体の表面ｔ２の所要部位にネジ嵌入孔ｖ２を設けると共に、該ネジ嵌入孔ｖ２にネジ軸ｗ２の一端側の部分ｘ２を接着剤ｙ２を介して埋設状態に固着し、該表面ｔ２から水平に突出したネジ軸部ｚ２を前記表示板ｕ２の上下端部分に貫設した孔ｕ３に挿通すると共に該表示板ｕ２から突出したネジ軸部ｚ２に座金ｃ３を介してナットｄ３を螺合し締め付けることにより該表示板ｕ２を墓誌本体ｈ２に着脱可能に固定できるようになされていた。
【００１４】
特許文献４記載の耐震性墓誌は、墓誌本体ｈ２と支持台ｇ２との固定構造部が露出せず、従って耐震性墓誌の外観が向上されている点では評価できる。しかしながら墓誌本体ｈ２と支持台ｇ２との固定構造が、前記のように、アンカー軸の嵌め入れ手段を採用すると共に墓誌本体ｈ２と支持台ｇ２との間に接着剤を介在させて両者を接着固定する手段を採用していたため、該接着剤の劣化によって固定強度が不安定化し易すかった。そのため、大きな地震時において墓誌本体ｈ２が浮き上がって前記第１のアンカー軸ｊ２が前記墓誌本体ｈ２に設けた挿入孔ｑ２から外れてしまう恐れがあり、耐震性不良を招く問題があった。
【００１５】
又、特許文献４記載の耐震性墓誌にあっては、故人の戒名や享年、没年月日等の文字を墓誌本体の表面に直接刻設するのではなく、これらが刻設された表示板ｕ２を墓誌本体ｈ２の表面ｔ２にボルト固定する構成を採用していた。そして該表示板ｕ２のボルト固定手段としては、前記のように、墓誌本体の表面ｔ２の所要部位にネジ嵌入孔ｖ２を設けると共に、該ネジ嵌入孔ｖ２にネジ軸ｗ２の一端側の部分ｘ２を接着剤ｙ２を介して埋設状態に固着し、該表面ｔ２から水平に突出したネジ軸部ｚ２を前記表示板ｕ２の上下端部分に貫設した孔ａ３に挿通すると共に、該表示板ｕ２から突出したネジ軸部ｚ２に座金ｃ３を介してナットｄ３を螺合し締め付けることにより該表示板ｕ２を墓誌本体ｈ２に着脱可能に固定できるようになされていた。
【００１６】
そのため、多数のネジ嵌入孔ｖ２を精度良く形成することに多くの加工手間を要して製造コストの上昇を招く問題があった。又、表示板ｕ２を固定する際にナットｄ３を強く締め付けると、前記接着されている埋設部が抜ける恐れがあり、表示板ｕ２の取り付け状態が不安定化する恐れがあった。又、長期間の内にボルトが腐食した際に、これを交換しようとしても、基端部分が墓誌本体に接着剤を介して埋設されているため、ボルトを容易には分離できない場合があった。更に、墓誌本体ｈ２の表面からのボルトの突出長さが定まっているために、厚さの異なる表示板（例えば、比較的厚い表示板）に変更せんとしても、この厚さの変更に必ずしも応じられない問題もあった。
【００１７】
更に前記のように、墓誌本体ｈ２と支持台ｇ２とを接着により固定することから、接着剤が劣化し、又、地震時の振動によって接着剤の劣化が一層進むこと等によって、墓誌本体ｈ２が上下方向で振動して墓誌本体ｈ２にクラックが入ったり墓誌本体ｈ２が欠けたりする恐れがあった。このような場合や、墓誌本体ｈ２に物が当たる等して墓誌本体ｈ２にクラックが入ったり欠けが生じた場合に、該墓誌本体ｈ２を交換しようとしても容易には交換できない問題もあった。そして、墓誌本体ｈ２と支持台ｇ２とを接着する構成を採用していたため、墓誌を移設する際、墓誌本体ｈ２と支持台ｇ２とを分離するのが困難な場合が生じ、移設が容易でない問題もあった。
【先行技術文献】
【特許文献】
【００１８】
【特許文献１】特開２００１−６５２０３号公報
【特許文献２】特開２００７−１２６８２５号公報
【特許文献３】実用新案登録第３１３４５４８号公報
【特許文献４】実用新案登録第３１４４３４４号公報
【発明の開示】
【発明が解決しようとする課題】
【００１９】
本発明は、前記従来の問題点に鑑みて開発されたものであり、墓誌等の石碑の耐震性向上を期し得ると共に石碑の見栄え向上を図り得る耐震性石碑の提供を課題とするものである。
【課題を解決するための手段】
【００２０】
前記課題を解決するため本発明は以下の手段を採用する。
即ち本発明に係る耐震性石碑の第１の態様は、アンカー軸を設けた基礎と、前記アンカー軸によって前記基礎に固定される支持台と、前記支持台に下部がネジ固定される石碑本体と、石材で構成された筒状カバーを具え、
前記支持台は、基礎に固定されたアンカー軸の垂直軸部を挿通させる挿通孔が上下方向で貫設されている。又、前記石碑本体の前記下部には、該石碑本体をその厚さ方向に貫通する貫通孔又は該石碑本体の厚さ方向に凹む凹部からなる固定空所が設けられると共に、該固定空所の下端底部に、前記垂直軸部を挿入させる縦孔が貫設されており、該固定空所において、前記縦孔に挿入された前記垂直軸部に、前記下端底部で支持されるネジ固定具を螺合し締め付けることにより、前記下部を前記支持台にネジ固定可能となされている。又、前記筒状カバーは、前記下部が前記支持台にネジ固定されて立設状態にある前記石碑本体を挿通状態とするためのカバー挿通孔が上下方向で貫設状態とされており、該筒状カバーが、該カバー挿通孔に前記石碑本体が挿通状態とされて前記支持台の上面部に載置されることにより、前記固定空所が該筒状カバーの壁部で覆い隠されることを特徴とするものである。
【００２１】
本発明に係る耐震性石碑の第２の態様は、アンカー軸を設けた基礎と、前記アンカー軸によって前記基礎に固定される支持台と、前記支持台に下部がネジ固定される石碑本体と、石材で構成された筒状カバーを具える耐震性石碑であって、
前記支持台は、基礎に固定されたアンカー軸の垂直軸部を挿通させる挿通孔が上下方向で貫設されている。又、前記石碑本体の前記下部には、該石碑本体をその厚さ方向に貫通する貫通孔又は該石碑本体の厚さ方向に凹む凹部からなる固定空所が設けられると共に、該固定空所の下端底部に、前記垂直軸部を挿入させる縦孔が貫設されており、該垂直軸部が、前記縦孔に挿入されると共にその上端部分が前記固定空所に位置されており、ネジ軸部として形成されている該上端部分に、ネジ固定具としての固定ナットを螺合し締め付けることにより、前記下部を前記支持台にネジ固定可能となされている。又、前記筒状カバーは、前記下部が前記支持台にネジ固定されて立設状態にある前記石碑本体を挿通状態とするためのカバー挿通孔が上下方向で貫設状態とされており、該筒状カバーが、該カバー挿通孔に前記石碑本体が挿通状態とされて前記支持台の上面部に載置されることにより、前記固定空所が該筒状カバーの壁部で覆い隠されることを特徴とするものである。
【００２２】
本発明に係る耐震性石碑の第３の態様は、アンカー軸を設けた基礎と、前記アンカー軸によって前記基礎に固定される支持台と、前記支持台に下部がネジ固定される石碑本体と、石材で構成された筒状カバーを具える耐震性石碑であって、
前記支持台は、基礎に固定されたアンカー軸の垂直軸部を挿通させる挿通孔が上下方向で貫設されている。又、前記石碑本体の前記下部には、該石碑本体をその厚さ方向に貫通する貫通孔又は該石碑本体の厚さ方向に凹む凹部からなる固定空所が設けられると共に、該固定空所の下端底部に、前記垂直軸部を挿入させる縦孔が貫設されており、該垂直軸部の上側部分には、上端開放で該垂直軸部の軸線に沿ってネジ孔部が設けられると共に、該垂直軸部の上端は該縦孔の上端から突出しないようになされており、該ネジ孔部に、ネジ固定具としての頭部付きの固定ボルトのネジ軸を螺合し締め付けることにより、前記下部を前記支持台にネジ固定可能となされている。又、前記筒状カバーは、前記下部が前記支持台にネジ固定されて立設状態にある前記石碑本体を挿通状態とするためのカバー挿通孔が上下方向で貫設されており、該筒状カバーが、該カバー挿通孔に前記石碑本体が挿通状態とされて前記支持台の上面部に載置されることにより、前記固定空所が該筒状カバーの壁部で覆い隠されることを特徴とするものである。
【００２３】
本発明に係る耐震性石碑の第４の態様は、前記第２の態様において、前記固定空所の下端底部に、平面視で正方形状又は長方形状を呈する嵌合凹部を設けると共に、該嵌合凹部に、前記垂直軸部を挿通させる透孔が設けられた固定支持板を略密接状態に嵌め入れ、該透孔に挿通されて該固定支持板の上面で突出した前記ネジ軸部に前記固定ナットを螺合し締め付けることにより、前記下部を前記支持台にネジ固定可能となされていることを特徴とするものである。
【００２４】
本発明に係る耐震性石碑の第５の態様は、前記第３の態様において、前記固定空所の下端底部に凹設された、平面視で正方形状又は長方形状を呈する嵌合凹部を設けると共に、該嵌合凹部に、前記ネジ軸を挿通させる透孔が設けられた固定支持板を略密接状態に嵌め入れ、前記頭部付きの固定ボルトの前記ネジ軸を該透孔に挿通させて前記ネジ孔部に螺合し締め付けることにより、前記下部を前記支持台にネジ固定可能となされていることを特徴とするものである。
【００２５】
本発明に係る耐震性石碑の第６の態様は、前記第１〜５の各態様において、前記石碑本体が墓誌本体である場合、その前後の垂直な止着面には故人の戒名や享年、没年月日等の故人の情報を表示するための表示板を止着できるようになされており、該墓誌本体には、前後の止着面で開口する止着孔が貫設されており、該止着孔は、中央の小径孔部の両側に段差面を介して大径孔部が同心に連設されてなり、該止着孔に止着ボルトが挿通状態とされると共に、該止着ボルトの両側部分に螺合されたナットが前記段差面で支持された状態で締め付けられることによって該止着ボルトが前記墓誌本体に固定される如くなされており、前記前後の止着面に、ボルト孔が上下に設けられた表示板を当接せしめ、該ボルト孔を挿通した前記止着ボルトの突出部分に止着ナットを螺合し締め付けることにより、該表示板を前記止着面に固定できるようになされていることを特徴とするものである。
【００２６】
本発明に係る耐震性石碑の第７の態様は、前記第１〜５の各態様において、前記石碑本体が墓誌本体である場合、その前後の止着面には故人の戒名や享年、没年月日等の故人の情報を表示するための表示板を止着できるようになされており、該墓誌本体には、前後の止着面で開口する止着孔が貫設されており、該止着孔は、中央の小径孔部の両側に段差面を介して大径孔部が同心に連設されてなり、該止着孔に止着ボルトが挿通状態とされると共に、該止着ボルトの両側部分に螺合されたナットが前記段差面で支持された状態で締め付けられることによって該止着ボルトが前記墓誌本体に固定される如くなされており、前記前後の止着面に、ボルト孔が上下に設けられた表示板を当接せしめ、頭部付きの止着ボルトのネジ軸を該ボルト孔に挿通させると共に、該ネジ軸を、前記止着ボルトの端部分に該止着ボルトの軸線に沿って設けられたネジ孔部に螺合し締め付けることによって、前記表示板を前記止着面に固定できるようになされていることを特徴とするものである。
【００２７】
本発明に係る耐震性石碑の第８の態様は、前記第６の態様において、前記止着ボルトは、両切りの中央ボルトの両端側部分の夫々を、長ナットの内側のネジ孔部に螺合すると共に、該長ナットの外側のネジ孔部に、両切りの繋ぎボルトの内側部分を螺合してなり、前記表示板の前記ボルト孔を挿通した該繋ぎボルトの突出部分に止着ナットを螺合し締め付けることにより、該表示板が前記止着面に固定できることを特徴とするものである。
【００２８】
本発明に係る耐震性石碑の第９の態様は、前記第７の態様において、前記止着ボルトは、両切りの中央ボルトの両端部分の夫々を、長ナットの内側のネジ孔部に螺合してなり、前記表示板の前記ボルト孔を挿通した前記ネジ軸を該長ナットの外側のネジ孔部に螺合し締め付けることにより、該表示板を前記止着面に止着できることを特徴とするものである。
【発明の効果】
【００２９】
本発明は以下の如き優れた効果を奏する。
本発明は、アンカー軸を設けた基礎と、前記アンカー軸によって前記基礎に固定される支持台と、前記支持台に下部がネジ固定される石碑本体と、石材で構成され且つ前記石碑本体の該下部のネジ固定部を覆い隠す筒状カバーを具える構成を採用するため、耐震性に優れた墓誌や各種の記念碑等の耐震性石碑を構成できると共に、該耐震性石碑を外観に優れたものとして構成でき、然もこれらを施工性良く構築でき、必要に応じ、移設も容易である。
以下これをより具体的に説明する。
【００３０】
(1) 本発明に係る耐震性石碑は、基礎に固定された１本のアンカー軸を用い、前記下部に設けた固定空所において、前記アンカー軸の垂直軸部に該固定空所の下端底部で支持されるネジ固定具を螺合し締め付ける構成を採用している。かかることから、従来のように水平なボルトを用いたり、垂直なボルトを用いるにしても上下２本のボルトと連結金具とこれらを連結する連結部材等を必要とした従来の耐震性石碑における場合とは異なり、石碑本体に加わる荷重をより安定的に支持台で支持させることができる。かかることから、墓誌や記念碑等の石碑の耐震性を向上させることができる。
【００３１】
(2) そして、前記下部を前記支持台にネジ固定した部分を前記筒状カバーの壁部で覆い隠すことができ、該下部のネジ固定部分を目視不能となし得るため、ネジ固定部分が露出する従来の耐震性石碑とは異なり、見栄えの良い耐震性石碑を提供できることになる。
【００３２】
(3) 本発明に係る耐震性石碑は、基礎に固定されたアンカー軸の垂直軸部を前記支持台に設けた挿通孔に挿通させると共に、該垂直軸部を前記下部に設けた固定空所の縦孔に挿通させ、該垂直軸部に、前記固定空所の下端底部で支持されるネジ固定具を螺合し締め付ける構成を採用するため、上下分離したボルトや連結金具等を用いてネジ固定する前記従来の耐震性石碑に比し、耐震性石碑の施工性を向上させ得る。
【００３３】
(4) 又、本発明に係る耐震性石碑によるときは、前記支持台に、前記垂直軸部を挿通させる挿通孔を設けると共に、該垂直軸部を前記下部に設けた固定空所の縦孔に挿入させ、該固定空所の下端底部で支持されるネジ固定具を該垂直軸部に螺合し締め付けることにより、石碑本体を支持台に固定できると同時に、該支持台を基礎に固定できる。従って、該ネジ固定具を取り外すことによって石碑本体と支持台を基礎から容易に分離できる。かかることから本発明によるときは、必要に応じ、耐震性石碑を移設することが容易である。
【００３４】
(5) 前記固定空所の下端底部に、平面視で正方形状又は長方形状を呈する嵌合凹部を設けると共に、該嵌合凹部に、前記垂直軸部を挿通させる透孔が設けられた固定支持板を略密接状態に嵌め入れて前記ネジ固定具を螺合し締め付ける構成を採用するときは、地震時の振動によって石碑本体が前後方向や左右方向に傾こうとしたときに、これに対して効果的に抵抗できることになり、一層の耐震性向上を期し得ることとなる。
【００３５】
(6) 本発明が墓誌に応用された場合において、墓誌本体に、前後の止着面で開口する止着孔を貫設すると共に、該止着孔は、中央の小径孔部の両側に段差面を介して大径孔部が同心に連設されたものとして構成し、該止着孔に止着ボルトを挿通状態とすると共に、該止着ボルトの両側部分に螺合されたナットを締め付けることによって該止着ボルトを墓誌本体に固定する構成を採用するときは、前記墓誌本体の前後の止着面で、前記表示板を安定状態で止着し得る止着部を構成できる。
【００３６】
従って特許文献４におけるように、表示板をネジ固定するためのネジ軸を墓誌本体に設けた凹部に挿入して接着しなければならないのとは異なり、１本の取付けボルトだけによって、墓誌本体の前後の面を故人の情報を表示するために有効活用できる。又、このように止着ボルトを用いて表示板を止着することとし、該止着ボルトは、その両側部分に螺合されたナットを締め付けることによって墓誌本体に固定するものであるため、ネジ軸を接着剤で墓誌本体に固定する特許文献４に係る耐震性墓誌とは異なり、ネジ軸が緩んで表示板の固定状態が不安定化する恐れがなく、表示板の固定の面からも耐震性向上を期し得る。
【００３７】
又、このようにして止着ボルトを墓誌本体に固定するため、該止着ボルトが腐食した場合は、前記ナットを取り外すことにより、止着ボルトを前記止着孔から容易に分離できるため、止着ボルトの交換を容易に行なうことができる。
【００３８】
特に前記止着ボルトとして、両切りの中央ボルトの両端側部分の夫々を長ナットの内側のネジ孔部に螺合する構成を採用するときは、長ナットに対する前記繋ぎボルトのネジ込み量を調整すれば、前記表示板のボルト孔を挿通した該繋ぎボルトの該表示板の前面からの突出量を所要に設定できることから、表示板の板厚が異なる場合にも、該表示板を前記固定面に容易且つ確実に固定できることになる。
【００３９】
又、該長ナットの外側のネジ孔部に前記頭部付きのボルトのネジ軸を螺合する構成を採用するときは、該ネジ軸の該長ナットに対するねじ込み量を調整したり、或いは、所要長さのネジ軸を有する頭部付きの止着ボルトに変更することにより、同様に、表示板の板厚が異なる場合にも該表示板を前記止着面に容易且つ確実に固定できることになる。
【図面の簡単な説明】
【００４０】
【図１】本発明に係る耐震性石碑を前側から見た斜視図である。
【図２】その後側から見た斜視図である。
【図３】石碑本体を基礎に固定した状態を示す一部断面正面図である。
【図４】耐震性石碑を分解して示す斜視図である。
【図５】支持台を示す平面図である。
【図６】石碑本体と、その止着面に固定される表示板を示す斜視図である。
【図７】石碑本体のネジ固定部を示す正面図である。
【図８】ネジ固定部を示す分解斜視図である。
【図９】ネジ固定部を構成する、垂直軸部の上端側部分をなすネジ軸部の突出状態を示す斜視図である。
【図１０】止着孔を示す斜視図と断面図である。
【図１１】止着孔に止着ボルトを固定した状態を示す断面図である。
【図１２】止着ボルトの構成を説明する分解斜視図である。
【図１３】墓誌本体の前後の止着面に表示板を止着した状態を示す断面図である。
【図１４】墓誌本体の前の止着面にのみ表示板を止着した状態を示す断面図である。
【図１５】ネジ固定部を筒状カバーで覆い隠した状態を示す断面図である。
【図１６】筒状カバーを支持台上に吊り下ろす作業工程を説明する説明図である。
【図１７】固定空所の他の態様を示す断面図である。
【図１８】頭部付きのボルトを用いて墓誌本体を基礎に固定した状態を示す一部断面正面図である。
【図１９】その固定部分の拡大断面図である。
【図２０】筒状カバーを支持台に載置する施工工程を説明する一部断面正面図である。
【図２１】その筒状カバーを支持台に載置した状態を示す一部断面正面図である。
【図２２】分割式の筒状カバーを示す斜視図である。
【図２３】分割式の筒状カバーの他の態様を示す斜視図である。
【図２４】分割式の筒状カバーのその他の態様を示す斜視図である。
【図２５】墓誌本体の止着面に表示板を止着する他の構成を説明する断面図である。
【図２６】その止着で用いる止着ボルトの構成を説明する分解斜視図である。
【図２７】墓誌本体に表示板を止着したその他の態様を示す断面図である。
【図２８】表示板が止着されない後の止着面におけるナットの締め付け状態を示す断面図である。
【図２９】表示板が止着されない後の止着面におけるナットの締め付け状態の他の態様を示す断面図である。
【図３０】耐震性石碑のその他の実施例を示す斜視図である。
【図３１】その部分断面図である。
【図３２】従来の耐震性墓誌の構成を説明する分解斜視図である。
【図３３】その耐震性墓誌における支持台に対する墓誌本体の固定状態を示す断面図である。
【図３４】その固定状態の問題点を説明する断面図である。
【図３５】従来の耐震性墓誌の他の態様を示す断面図である。
【図３６】従来の耐震性墓誌のその他の態様を示す断面図である。
【図３７】従来の耐震性墓誌のその他の態様を示す正面図である。
【図３８】その耐震性墓誌における、墓誌本体に対する表示板の固定構造を説明する断面図である。
【発明を実施するための形態】
【実施例１】
【００４１】
図１〜３において本発明に係る耐震性石碑（以下石碑ともいう）１は、基礎２に固定される支持台３と、該支持台３に下部５がネジ固定される石碑本体６と、該石碑本体６の該下部５のネジ固定部７を覆い隠す筒状カバー９とを具えており、本実施例においては墓誌１０に応用されている。
【００４２】
前記支持台３は、図３〜５に示すように、御影石等の石材からなり、左右方向に延長する直方体状を呈しており、その上面部１１の一点鎖線で囲んだ内側部分１２（図４〜５）には、前記石碑本体６としての墓誌本体６ａの下面１３が当接されると共に、該上面部１１の二点鎖線で囲んだ外側部分１５（図４〜５）の、前記内側部分１２を除いた部分１６には、前記筒状カバー９の下面１７が当接される。本実施例においては、二点鎖線で囲んだ該外側部分は粗磨き加工が施されると共に、その外側部分は仕上げ磨き加工が施されている。
【００４３】
そして前記支持台３の前記内側部分１２の両側には、図３〜５に示すように、前記基礎２に固定された例えばＬ字状を呈する、例えばステンレス製のアンカー軸１９の垂直軸部２０を挿通させる挿通孔２１，２１が上下方向で貫設されている。又本実施例においては、該挿通孔２１，２１の上端２２，２２の夫々に、前記外側部分１５の範囲において、例えば十字状を呈する排水溝２３が連設されている。その溝幅は例えば２ｍｍに設定され、その溝深さは例えば３ｍｍに設定されている。
【００４４】
前記墓誌本体６ａは、図１〜４に示すように、例えば御影石等の石材からなり厚さが均一な矩形板状を呈する。該墓誌本体６ａの主要部の寸法を例示すれば、左右方向長さが７００ｍｍで高さが７９０ｍｍ、厚さが８０ｍｍに設定されている。その下面１３は粗面に形成されており、その前後の止着面２６，２７は平滑な垂直面に形成され、該止着面２６，２７には、故人の戒名や享年、没年月日等の故人の情報を刻設等により表示するための表示板２９をネジ固定により止着できるようになされている。該表示板２９は、図６に示すように、本実施例においては、例えば御影石等の石材からなり上下に長い矩形板状を呈する薄板として形成されており、その上下にボルト孔３０，３０が設けられている。該表示板２９の各部の寸法を例示すれば、その左右方向の幅が６０ｍｍに設定されると共にその上下長さが６００ｍｍに設定され、その厚さは１０ｍｍに設定されている。
【００４５】
そして前記墓誌本体６ａの下部５には、本実施例においては図４、図７〜８に示すように、該下部５の両側に位置させて、該墓誌本体６ａをその厚さ方向（前後方向）に貫通する例えば円形状孔３１ａとしての固定空所３１が設けられると共に、該固定空所３１の下端底部３２に、前記垂直軸部２０を挿通させる縦孔３３が貫設されている。
【００４６】
本実施例においては図８〜９に示すように、前記固定空所３１の下端底部３２に、前後方向に稍長い、平面視で長方形状を呈する嵌合凹部３５が設けられると共に、該嵌合凹部３５に、前記垂直軸部２０を挿通させる透孔３６が中央部に設けられた矩形板状の固定支持板３７が、略密接状態に嵌め入れられる如くなされている。該固定支持板３７は、例えばステンレス製であり、その各部の寸法を例示すれば、長辺長さが６０ｍｍで短辺長さが３０ｍｍ、厚さが５ｍｍに設定されている。
【００４７】
かかる構成を有する墓誌本体６ａは、図３、図７に示すように、前記縦孔３３に前記垂直軸部２０が挿入された状態で、下面２５が前記支持台３の前記内側部分１２に載置される。図９は、前記嵌合凹部３５に前記固定支持板３７が嵌め入れられると共に、前記縦孔３３に挿入された垂直軸部２０が該透孔３６に挿通され、該垂直軸部２０の上端側部分をなすネジ軸部３９が該固定支持板３７の上面４０で突出した状態を示している。該固定支持板３７の上面４０は水平面を呈している。この状態で、図７に示すように、該ネジ軸部３９に座金３８を介して、ネジ固定具４１としての固定ナット４１ａを螺合し締め付けることにより、図３に示すように、該固定支持板３７を幅広の座金として機能させて、前記下部５を、前記基礎２に固定状態とされた前記支持台３にネジ固定できる。このように固定ナット４１ａを螺合し締め付ければ、前記アンカー軸１９を介して、墓誌本体６ａと支持台３とを同時に前記基礎２に固定できることになるのである。本実施例においては、前記固定空所３１が、前記墓誌本体６ａをその厚さ方向に貫通する例えば円形の貫通孔３１ａとして形成されているため、前記固定ナット４１ａを該固定空所３１内において、スパナ等の工具を用いて締め付ける際、該作業を、該貫通孔３１ａの前側や後側において容易に行うことができる。
【００４８】
該固定空所３１は、本実施例においては直径が７０ｍｍに設定されており、前記嵌合凹部３５の左右方向の幅が４０ｍｍに設定されると共に、該嵌合凹部３５の底面４２と前記墓誌本体６ａの下面２５との間の距離が５０ｍｍに設定されている。又、前記縦孔３３の径は１８ｍｍに設定されると共に前記垂直軸部２０の径は１６ｍｍに設定されている。
【００４９】
又前記墓誌本体６ａには、図３〜４に示すように、前記表示板２９を前記前後の止着面２６，２７にネジ止着するための止着孔４３が設けられている。該止着孔４３は図１０に示すように、中央の小径孔部４５の両側に段差面４６，４６を介して大径孔部４７，４７が同心に連設されてなる。かかる構成を有する止着孔４３の各部の寸法を例示すれば、前記小径孔部４５の径は１２ｍｍで、その前後方向の長さは１０ｍｍに、又、前記大径孔部４７の径は２５ｍｍでその前後方向の長さは３５ｍｍに設定されている。
【００５０】
そして図１１に示すように、該止着孔４３に止着ボルト（例えばステンレス製）４９が挿通状態とされる。該止着ボルト４９は、本実施例においては図１１〜１２に示すように、両切りの中央ボルト５１の両側部分５２，５２に長ナット５０ａ，５０ａとしてのナット５０，５０を螺合して構成されている。該止着ボルト４９は、より具体的には、前記中央ボルト５１の両側部分５２，５２を該長ナット５０ａ，５０ａの内側のネジ孔部５５，５５に螺合してなり、該長ナット５０ａ，５０ａを、例えば座金４８を介して、前記段差面４６，４６で支持された状態で締め付けることによって、該止着ボルト４９が前記墓誌本体６ａに固定される如くなされている。なお、該長ナット５０ａ，５０ａの外端５６，５６は前後の止着面２６，２７から突出しないようになされている。
【００５１】
前記構成を有する止着孔４３は、前記前後の止着面２６，２７に対する前記表示板２９の配置に合わせて所要に設定されるものである。本実施例においては、図１〜２に示すように、前記前後の止着面２６，２７に、戒名等の故人の情報が刻設される表示面２８を有した第１の表示板２９ａの８枚が、所要間隔を置いて、例えば１０ｍｍの間隔を置いて、平行状態に固定されるものとなされており、該前の止着面２６の右側に寄せて、上下長さが比較的短い、「墓誌」等の表題文字が表示面２８に刻設等される第２の表示板２９ｂが固定されるものとなされている。そして、該第１の表示板２９ａ、該第２の表示板２９ｂの夫々の上下に設けられた前記ボルト孔３０，３０（図６）に位置合わせして前記止着孔４３，４３が設けられている。
【００５２】
前記表示板２９を前記前後の止着面２６，２７に固定するに際しては、例えば図１３に示すような頭部付きの止着ボルト５９を用いて行うことができる。該頭部付きの止着ボルト５９は、表面６０が球面状を呈する頭部６１にネジ軸６２が突設されている。該表示板２９の後面５４を前後の止着面２６，２７に当接させた状態で、該頭部付きの止着ボルト５９の該ネジ軸６２を、座金６３を介して前記ボルト孔３０に挿通して後、前記長ナット５０ａの外側のネジ孔部６５に螺合し締め付けると、該表示板２９を前記止着面２６，２７に止着できる。該座金６３は、本実施例においては、前記大径孔部４７の径に略等しい外形を有する大径座金６６と、それよりも径の小さい小径座金６７の２枚を重ねて用いる。
【００５３】
前記墓誌本体６ａの前後の止着面２６，２７には、前記表示板２９が前記要領により止着されるのであるが、新設の墓誌にあっては、一般には、前の止着面２６には表示板２９が止着されるが後の止着面２７には未だ表示板が止着されない。表示板２９が止着されない後の止着面２７にあっては、図１４に示すように、前記座金６３（図１４においては大径座金６６）の全体又は一部分を前記止着孔４３の前記大径孔部４７に、前記長ナット５０ａの外端５６で支持された状態にして嵌め入れ、この状態で、前記頭部付きの止着ボルト５９の前記ネジ軸６２を、前記長ナット５０ａの外側のネジ孔部６５に螺合し締め付けておく。このように構成すれば、該座金６３によって前記大径孔部４７の開放端を極力閉蓋した状態となし得、該大径孔部４７内に雨水等が進入するのを極力防止できて好ましい。
【００５４】
なお本実施例においては、隣り合う第１の表示板２９ａ，２９ａ間に１０ｍｍ程度の比較的大きな隙間７１（図１）を形成することとしているため、表示板に製造誤差が生じた場合にも該表示板を止着面に確実に止着できると共に、隣り合う表示板２９ａ，２９ａ間に比較的大きな隙間７１を形成できるため、該隙間７１の汚れを、ブラシ等を用いて容易に除去することができる。
【００５５】
又前記筒状カバー９は、図４に示すように、例えば御影石等の石材を以て一体物として構成された、左右方向に延長する角筒状を呈し、前記止着ボルト４９が取り外された状態にある前記墓誌本体６ａをその上端側７２からその下端側７３に向けて略密接した状態で挿通させるための例えば矩形状のカバー挿通孔７５が上下方向で貫設されている。又、該筒状カバー９の下面１７は粗面に形成されている。そして該筒状カバー９が、該カバー挿通孔７５に前記墓誌本体６ａを挿通させてその下面１７で前記支持台３に載置されることにより、図１〜３、図１５に示すように、前記固定空所３１におけるネジ固定部７が該筒状カバー９の前後の壁部７６，７６で覆い隠されるようになされている。
【００５６】
本実施例においては、該筒状カバー９の左右の側壁部７７，７７の外表面に手掛け用凹部７９，７９が設けられている。前記カバー挿通孔７５の短辺長さは、前記墓誌本体６ａの厚さが８０ｍｍであるのに対し８５ｍｍ程度に設定されると共に、その長辺長さは、前記墓誌本体６ａの左右方向長さが７００ｍｍであるのに対し７０５ｍｍ程度に設定されている。夫々５ｍｍ程度大きく設定しているのは、製作上の誤差を考慮してのものである。  
【００５７】
かかる構成を有する筒状カバー９は、図１６に示すように、クレーンで吊り上げ、前記カバー挿通孔７５に墓誌本体６ａの上端側７２を挿入状態として後、該筒状カバー９を前記支持台３上に吊り下ろす。その後、作業者が前記左右の手掛け用凹部７９，７９に手を掛けて該筒状カバー９を所要に位置決めする。然る後、該筒状カバー９の下端縁と前記支持台の上面部との間に生ずる隙間８２（図１〜２）、及び、前記カバー挿通孔７５の内周縁部と前記墓誌本体６ａの表面との間に生ずる隙間８６（図１〜２）にコーキング材を充填する。
【００５８】
本実施例においては、前記のように、墓誌本体６ａの下面１３及び前記筒状カバー９の下面１７が粗面に形成されると共に、前記支持台３に設けられた前記挿通孔２１に十字状の排水溝２３（図４）が連設されている。かかることから、前記墓誌本体６ａの下面１３と前記支持台３の上面部（前記内側部分１２）１１との間や、前記筒状カバー９の下面１７と前記支持台３の前記除いた部分１６との間に雨水が浸入したときには、流入した雨水は、該粗面間に形成される流路を流れて前記排水溝２３に向けて移動し易い。このように移動した水は該排水溝２３を通して前記挿通孔２１内に順次流入するので、排水性が良好である。
【００５９】
このようにして筒状カバー９を支持台３に載置して後、前記表示板２９を前記要領により墓誌本体６ａの前の止着面２６に止着する一方、後の止着面２７には、表示板は固定せず、前記座金６３を介して前記頭部付きの止着ボルト５９を螺合し締め付けておく。
【００６０】
このようにして止着された各表示板２９には、故人別に戒名や享年、没年月日等の故人の情報を刻設等により表示していく。未表示の表示板２９に新たな故人の情報を刻設等する場合は、前記上下の頭部付きの止着ボルト５９，５９を取り外すことによって該未表示の表示板２９を取り外し、これを作業所に持ち込んで戒名等の所要の刻設等を行って後、前記と同様の要領により、該表示板２９を前記前後の止着面２６，２７の所要部分に止着する。
【００６１】
前の止着面２６が例えば８人の故人によって埋まり、新たな故人の表示板を前の止着面２６に止着せんとする際は、例えば図１において左端に固定されている第１の表示板２９ａ１を取り外し、これを図２に示すように、後の止着面２７に、前記と同様にして止着する。そして、各表示板の位置を一つずつ左に移し、新たな故人の情報が表示された別途の第１の表示板２９を前の止着面２６の右端側に前記と同様にして止着する。
【００６２】
本発明においては、前記のように、止着ボルト４９を前記止着孔４３に挿通状態として、該止着ボルト４９の両端側部分に螺合されたナット５０，５０を締め付けることにより該止着ボルト４９を墓誌本体６ａに固定する構成を採用するため、墓誌本体６ａの前後の止着面２６，２７側の双方に、表示板２９の止着部を構成できる。かかることから、該前後の止着面２６，２７の双方において、１本の止着ボルト４９を用いて表示板２９をネジ固定できるのである。
【００６３】
本発明においては、特許文献４におけるように墓誌本体６ａの前の面だけが表示板の止着面となるのではなく、後の面をも表示板の止着のために活用できる構成を採用している。かかることから、特許文献４におけるように、古い表示板を処分することなくこれを後の止着面２７ａに移すことができるので、古い表示板であってもこれを順次残すことができる。
【００６４】
以上のような構成を有する耐震性墓誌１によるときは、地震時の振動によって墓誌本体６ａに加わる荷重を、基礎２に固定された１本のアンカー軸１９を介して、基礎２に固定状態の支持台３に直接的に伝達させることができるのであり、特許文献３におけるように、墓誌本体に加わる地震時の荷重を、上下の連結部材を介して間接的に支持台に伝達するのとは異なり、耐震性向上を期し得ることとなる。又、前記止着面２６，２７に対する表示板２９の止着は、前記止着孔４３に挿通され且つ両側部分に螺合されたナット５０，５０が締め付けられることによって墓誌本体６ａに固定されてなる止着ボルト４９を用いて行うことができるため、表示板２９を、地震時の振動によっても安定した固定状態で保持できることになる。このようなことの結果、本発明によるときは、全体としての耐震性に優れた墓誌を構成できることになる。
【００６５】
特に本実施例においては、墓誌本体６ａの下部５を前記支持台３にネジ固定する際、前記固定空所３１の下端底部３２に凹設された嵌合凹部３５に密接状態に嵌め入れた矩形板状を呈する固定支持板３７を介して、前記ネジ固定具４１としての固定ナット４１ａを、垂直軸部２０としての前記ネジ軸部３９に螺合し締め付ける構成を採用している。このように、一定の厚みがあり且つ広い当接面積を有する固定支持板３７を介して固定ナット４１ａを締め付けるため、墓誌本体６ａを支持台３に、より安定した状態でネジ固定できることになり、地震時における左右方向や前後方向等の揺れに対して、より優れた耐震性を発揮できることになる。又、前記固定支持板３７が前記嵌合凹部３５に略密接状態に嵌め入れられていることから、前記固定ナット４１ａを締め付ける際に該固定支持板３７が共回りするのを防止できる。
【００６６】
そして、前記下部５を前記支持台３にネジ固定するために用いられた前記固定空所３１は、その全体が、前記筒状カバー９の前後の壁部７６，７６で覆い隠された状態となるため、該固定空所３１及びその内部に納められている固定ナット４１ａや固定支持板３７、前記ネジ軸部３９等は目視不能の状態となる。従って、前記墓誌本体６ａの下部５を前記支持台３に対してネジ固定する手段を採用しているにも拘わらず、このネジ固定部分によって墓誌の外観が損なわれる恐れがなく、墓誌の見栄えを向上させ得ることとなる。
【００６７】
又、将来的な墓誌の移設も容易となる。即ち、特許文献４におけるように、一端側が墓誌本体の孔部に挿入されて接着により固定されたネジ軸を用いる場合とは異なり、前記頭部付きの止着ボルト５９を除去すれば前記表示板２９を前記墓誌本体６ａから容易に取り外すことができる。そして、前記止着ボルト４９を前記止着孔４３から取り外して後、前記筒状カバー９を吊り上げて除去し、その後、前記固定ナット４１ａを取り外せば、該墓誌本体６ａと前記支持台３とを前記基礎２から容易に取り外すことができる。かかることから、新たな設置場所において、基礎にアンカー軸を固定して後、前記と同様の要領によって墓誌１０を組み立てることができる。
【００６８】
又本実施例においては、前記止着ボルト４９を、両切りの中央ボルト５１の両側部分５２，５２の夫々を長ナット５０ａ，５０ａの内側のネジ孔部５５，５５に螺合すると共に、前記表示板２９のボルト孔３０を挿通した前記頭部付きの止着ボルト５９のネジ軸６２を該長ナット５０ａの外側のネジ孔部６５に螺合する構成を採用している。そのため、特許文献４におけるような、一端側が墓誌本体に埋設されてなるネジ軸を用いて表示板を墓誌本体に固定する場合とは異なり、厚さのより厚い表示板２９を墓誌本体６ａに固定せんとする場合は、該ネジ軸６２の該長ナット５０ａに対するねじ込み量を調整したり、或いは、頭部付きの止着ボルト５９のネジ軸６２を所要長さのものとする等によって容易に応ずることができる。
【実施例２】
【００６９】
本発明は、前記実施例で示したものに限定されるものでは決してなく、「特許請求の範囲」の記載内で種々の設計変更が可能であることはいうまでもない。その一例を挙げれば次のようである。
【００７０】
(1) 本発明に係る耐震性石碑１は、前記した墓誌に応用されることの他、慰霊碑や記念碑等の各種の石碑に応用され得る。
【００７１】
(2) 墓誌本体等の石碑本体６の下部５を支持台３にネジ固定するために設けられる前記固定空所３１の個数は、石碑本体６の左右方向の長さ等、石碑の大きさを考慮して、該石碑の耐震性を確保し得るように所要個数に設定されるものである。
【００７２】
(3) 図１７は、前記石碑本体６の下部５に設ける固定空所３１を、該石碑本体６の厚さ方向に凹む凹部３１ｂとして構成した場合を示すものである。下端底部３２で支持されるネジ固定具４１を螺合し締め付ける作業に支障がないものであれば、固定空所３１を、かかる凹部３１ｂとして構成することもできる。このように構成する場合も、その下端底部に、前記と同様構成の固定支持板３７を嵌め入れるための嵌合凹部３５を設けるのがよい。
【００７３】
(4) 該ネジ固定のために用いられる前記固定空所３１の形状は、前記実施例においては、加工の容易性を考慮して、貫通する円形状孔３１ａや円形状の凹部３１ｂとして形成しているが、該固定空所３１において前記アンカー軸の垂直軸部２０に対してネジ固定具４１を螺合し締め付けることができるものでありさえすれば、半丸状や四角形状等として構成されることもある。
【００７４】
(5) 図１８〜１９は、前記ネジ固定具４１として、頭部付きのボルト４１ｂを用いた場合の一例を示すものであり、前記アンカー軸１９の前記垂直軸部２０の上側部分には、上端開放で該垂直軸部２０の軸線に沿って延長するネジ孔部８８が設けられている。本実施例においては、該垂直軸部２０は長ナット９１を用いて構成され、該長ナット９１のネジ孔が該ネジ孔部８８とされている。そして前記固定空所３１の下端底部３２には、平面視で正方形状又は長方形状を呈する嵌合凹部３５が設けられると共に、該嵌合凹部３５に、前記頭部付きの固定ボルト４１ｂのネジ軸９２を挿通させる透孔３６が設けられた固定支持板３７が略密接状態に嵌め入れられ、該固定支持板３７の上面４０は水平面を呈する如くなされている。そして、前記垂直軸部２０の上端８９、即ち前記長ナット９１の上端９５は、前記嵌合凹部３５の上面（即ち前記縦孔３３の上端９０）から突出しないようになされている。好ましくは、製造誤差を考慮して、該上端９０の稍下方に位置するように設定されている。
【００７５】
然して、前記頭部付きの固定ボルト４１ａの前記ネジ軸９２を、前記透孔３６に挿通させて前記ネジ孔部８８に螺合し締め付けることにより、前記下部５を前記支持台３にネジ固定できる。
【００７６】
(6) 前記実施例で示した筒状カバー９は、前記石碑本体６を挿通状態とするためのカバー挿通孔７５が上下方向で貫設されてなる一体物として構成されているが、該筒状カバー９を前記支持台３に載置するに際しては、例えば図２０に示すように、該筒状カバー９のカバー挿通孔７５に、前記石碑本体６の下側部分９７が挿通状態となるように該筒状カバー９の左右部分９８，９８を受座９９，９９で一時的に支持しておき、前記下部５を前記支持台３にネジ固定した後に、図２１に示すように、該受座９９，９９を取り外して該筒状カバー９を下降させ、該筒状カバー９を前記支持台３の上面部１１に載置する作業工程を経ることもできる。
【００７７】
かかる作業工程を経るときは、前記石碑本体６の高さが高い場合に、前記筒状カバー９を高所に吊り上げて支持第３上に吊り下ろすという作業が不要となるので、筒状カバー９の載置作業を安全に行うことができて好ましい。又、石碑本体６の左右方向幅が石碑本体の高さ方向で変化する場合に、石碑本体の下部５を該筒状カバー９で略密接した状態で効果的に覆い隠すことができて好ましい。
【００７８】
(7) 前記筒状カバー９は、前記実施例においては一体物として構成しているが、図２２〜２４に示すように、複数に分割された筒状カバー片１００，１００相互を一体化して構成することもできる。このように一体化することにより、石碑本体６を挿通状態とするためのカバー挿通孔７５を上下方向で貫設状態に構成できる。
【００７９】
図２２に示す筒状カバー９は、前後に二分割された筒状カバー片１００，１００の左の接合端面１０１，１０１相互、右の接合端面１０２，１０２相互を、夫々、例えば接着剤を介して接合一体化して構成されている。又図２３に示す筒状カバー９は、左右に分割された筒状カバー片１００，１００の前の接合端面１０３，１０３相互、後の接合端面１０５，１０５相互を、夫々、例えば接着剤を介して接合一体化して構成されている。又図２４に示す筒状カバー９は、前後左右に四分割された筒状カバー片１００，１００，１００，１００を用いて構成されており、左の接合端面１０１，１０１相互、右の接合端面１０２，１０２相互、前の接合端面１０３，１０３相互、後の接合端面１０５，１０５相互を、夫々、例えば接着剤を介して接合一体化して構成されている。
【００８０】
かかる分割方式の筒状カバー９を用いて、石碑本体６の下部５のネジ固定部７を覆い隠すに際しては、石碑本体６の下部５を前記支持台３にネジ固定して後、各筒状カバー片１００を、該ネジ固定部７を前後から覆い隠すように（図２２で示す場合）、左右から覆い隠すように（図２３で示す場合）、前後左右から覆い隠すように（図２４で示す場合）、前記支持台３の上面部１１に載置して後、筒状カバー片１００，１００の前記接合端面相互を接着剤を介して接合一体化する。
【００８１】
これにより、石碑本体６を挿通状態とするためのカバー挿通孔７５を上下方向で貫設状態となし得、該筒状カバー９を、該カバー挿通孔７５に前記石碑本体６が挿通状態とされて前記支持台３の上面部１１に載置された状態となし得る。
【００８２】
このような分割方式の筒状カバー９は、石碑本体６の高さが高い場合に、筒状カバー９の載置作業を安全に行うことができて好ましい。又、石碑本体６の左右方向幅が石碑本体の高さ方向で変化する場合に、石碑本体の下部５を該筒状カバー９で略密接した状態で効果的に覆い隠すことができて好ましい。
【００８３】
(8）前記固定空所３１の下端底部３２に凹設した嵌合凹部３５に固定支持板３７を略密接状態に嵌め入れる場合、該固定空所３１において、前記垂直軸部２０にネジ固定具４１を螺合し締め付ける作業を支障なく行い得る限り、該固定支持板３７が前記嵌合凹部３５の上端から突出してもよい。
【００８４】
(9) 本発明が墓誌に応用された場合、前記墓誌本体６ａに止着ボルト４９を介して表示板２９を止着する際、該止着ボルト４９は例えば図２５〜２６に示すように、両切りの中央ボルト５１の両側部分５２，５２の夫々を、ナット５０としての長ナット５０ａ，５０ａの内側の雌ネジ部５５，５５に螺合すると共に、該長ナット５０ａ，５０ａの外側のネジ孔６５，６５に、両切りの繋ぎボルト１０６，１０６の内側部分１０７，１０７を螺合して構成することもできる。該中央ボルト５１の両側部分５２，５２に螺合されたナット５０，５０が、前記段差面４６，４６で座金１０４を介して支持された状態で締め付けられることによって、該中央ボルト５１が墓誌本体６ａに固定される。そして、該両繋ぎボルト１０６，１０６の先側部分１０９，１０９が前記前後の止着面２６，２７から所要長さ突出した状態となるように、該繋ぎボルト１０６，１０６の前記長ナット５０ａ，５０ａに対する螺合長さが所要に設定されている。
【００８５】
このように構成する場合、前記構成を有する表示板２９を前記前後の止着面２６，２７に固定するに際しては、図２５に示すように、該表示板２９の後面５４を前記前後の止着面２６，２７に当接させた状態で、前記ボルト孔３０を挿通した前記繋ぎボルト１０６の、該表示板２９の前面１１０で突出した突出部分１１１に、座金６３を介して止着ナット（本実施例においては袋ナット）１１３を螺合し締め付ける。これにより、該表示板２９を前記前後の止着面２６，２７に止着できる。この場合、該長ナット５３に対する繋ぎボルト１０６の螺合量を調整すれば、前記突出部分１１１の突出量を所要に設定できることから、表示板２９の板厚が異なる場合にも該表示板２９を前記前後の止着面２６，２７に確実に固定できることになる。
【００８６】
前記止着ボルト４９は、図２７に示すように、１本の両切りのボルト１１５を用いて構成することもでき、前記止着孔４３は、中央の小径孔部４５の長さが比較的長く形成されると共に該小径孔部４５の両側に段差面４６，４６を介して、比較的長さの短い大径孔部４７，４７が同心に連設されている。そして該止着孔４３に前記１本の止着ボルト４９が挿通状態とされると共に、前記大径孔部４７に納まるナット５０，５０が該止着ボルト４９の両側部分に螺合され、前記段差面４６，４６で支持された状態で締め付けられることによって、該止着ボルト４９が前記墓誌本体６ａに固定される如くなされている。そして、前記墓誌本体６ａの前後の止着面２６，２７に前記表示板２９を固定するに際しては、例えば図２７に示すように、前記ボルト孔３０を挿通した前記止着ボルト４９の突出部分１１６に座金６３を介して止着ナット（例えば袋ナット）１１３を螺合し締め付けて行う。
【００８７】
図２８、図２９には、前の止着面２６にのみ表示板２９が固定される一方、後の止着面２７には、未だ表示板２９が固定されないで止着ナット１１３が螺合され締め付けられた状態が示されている。この場合、表示板２９を固定する際に用いることのできる座金６３が、前記ナット５０に当接された状態で止着ナット（例えば袋ナット）１１３が螺合され締め付けられている。後の止着面２７に表示板２９を固定するに際しては、該後の止着面２７からの繋ぎボルト１０の突出部分１１１の長さを所要に設定する等して、前記と同様にして表示板２９をネジ固定できる。
【００８８】
(10)前記表示板２９は、前記のように石材を用いて構成されることの他、プラスチック製やステンレス製、防錆処理の施された鉄製、アルミニウム製、陶板製、セラミック板製とされる等、所要強度を具える素材を用いて構成できる。
【００８９】
(11)本発明が墓誌に応用される場合、故人の戒名や享年、没年月日等の故人の情報を、前記のような表示板２９を用いることなく、墓誌の表面に直接に刻設等して表示することも可能である。このように直接に刻設等する場合、これらが刻設等される墓誌本体の表面は、垂直面の他、傾斜面等として形成されることもある。
【００９０】
(12)図３０は、前記石碑本体６の下部５を固定するための支持台３を、石材片１１７を複数段に積重一体化して構成した場合を示すものであり、該積重一体化された支持台３に、図３１に示すように、基礎２に固定されたアンカー軸１９の垂直軸部２０を挿通させる挿通孔２１が設けられている。
【符号の説明】
【００９１】
１  耐震性石碑
２  基礎
３  支持台
５  支持台の下部
６  石碑本体
７  ネジ固定部
９  筒状カバー
１９  アンカー軸
２０  垂直軸部
２１  挿通孔
２６  止着面
２７  止着面
２９  表示板
３０  ボルト孔
３１  固定空所
３２  下端底部
３５  嵌合凹部
３６  透孔
３７  固定支持板
３９  ネジ軸部
４１  ネジ固定具
４１ａ  固定ナット
４３  止着孔
４５  小径孔部
４６  段差面
４７  大径孔部
４９  止着ボルト
５０  ナット
５９  頭部付きの止着ボルト
７５  カバー挿通孔
１００  筒状カバー片
１１３  ナット
【要約】 
【課題】墓誌等の石碑の耐震性向上を期し得ると共に、石碑の見栄え向上を図り得る耐震性石碑を提供する。
【解決手段】支持台３と支持台３の下部５がネジ固定される石碑本体６と、石碑本体６の下部５のネジ固定部７を覆い隠す筒状カバー９とを具える。支持台３は、基礎２に固定されたアンカー軸１９の垂直軸部２０を挿通させる挿通孔２１が上下方向で貫設されている。石碑本体６の下部５に、その厚さ方向に貫通する固定空所３１が設けられると共に、固定空所３１の下端底部に、垂直軸部２０を挿入させる縦孔３３が貫設されている。縦孔３３に挿入された垂直軸部２０に、ネジ固定具４１を螺合し締め付ける。筒状カバー９は、そのカバー挿通孔７５に石碑本体６を挿通させ、支持台３に載置されると、固定空所３１が筒状カバー９で覆い隠される。
【選択図】図３【図１】
0004794684.tif 000002
【図２】
0004794684.tif 000003
【図３】
0004794684.tif 000004
【図４】
0004794684.tif 000005
【図５】
0004794684.tif 000006
【図６】
0004794684.tif 000007
【図７】
0004794684.tif 000008
【図８】
0004794684.tif 000009
【図９】
0004794684.tif 000010
【図１０】
0004794684.tif 000011
【図１１】
0004794684.tif 000012
【図１２】
0004794684.tif 000013
【図１３】
0004794684.tif 000014
【図１４】
0004794684.tif 000015
【図１５】
0004794684.tif 000016
【図１６】
0004794684.tif 000017
【図１７】
0004794684.tif 000018
【図１８】
0004794684.tif 000019
【図１９】
0004794684.tif 000020
【図２０】
0004794684.tif 000021
【図２１】
0004794684.tif 000022
【図２２】
0004794684.tif 000023
【図２３】
0004794684.tif 000024
【図２４】
0004794684.tif 000025
【図２５】
0004794684.tif 000026
【図２６】
0004794684.tif 000027
【図２７】
0004794684.tif 000028
【図２８】
0004794684.tif 000029
【図２９】
0004794684.tif 000030
【図３０】
0004794684.tif 000031
【図３１】
0004794684.tif 000032
【図３２】
0004794684.tif 000033
【図３３】
0004794684.tif 000034
【図３４】
0004794684.tif 000035
【図３５】
0004794684.tif 000036
【図３６】
0004794684.tif 000037
【図３７】
0004794684.tif 000038
【図３８】
0004794684.tif 000039